(57)【要約】【課題】ガントリ装置が設置された部屋にいる技師に対して患者情報、検査情報を提供すること。【解決手段】ＣＰＵ５１は入力された名前で特定される患者の患者情報、検査情報を患者情報５４ａ、検査情報５４ｂから検索し、表示画面データ５４ｃと共にメインコントローラ１に送信する。メインコントローラ１は表示画面データ５４ｃを用いて患者情報、検査情報を表示部１５に表示させる。そしてメインコントローラ１は操作スイッチ１６ａから切り替えの指示を受けると、検査情報を示す信号をＣＰＵ５１に送信する。ＣＰＵ５１はこの信号に基づいて必要なアクセサリ情報をアクセサリ情報５４ｄから特定する。特定したアクセサリ情報はメインコントローラ１に送信され、メインコントローラ１は表示部１５に指示してこのアクセサリ情報を表示させる。【選択図】　図１
2004016498.tif 000002
【特許請求の範囲】
【請求項１】
Ｘ線管から照射され、被検体を透過したＸ線を検出し、当該被検体の投影データを得るガントリ装置と、当該ガントリ装置により得られた投影データを再構成し、前記被検体の断層像を得る操作コンソールとで構成されるＸ線ＣＴ装置であって、
前記操作コンソールは、
患者に関する情報である患者情報と、各患者に対する検査の内容を示す検査情報と、検査内容に応じて使用するアクセサリに関するアクセサリ情報とを関連づけて格納する共に、前記患者情報、前記検査情報、前記アクセサリ情報を表示するための表示画面データを格納する格納手段と、
入力された検査対象の患者を特定する情報から当該患者の患者情報と、当該患者に対して行う検査の内容を示す検査情報と、当該検査情報に応じたアクセサリ情報を前記格納手段から特定する特定手段と、
前記特定手段により特定した患者情報、検査情報、アクセサリ情報を前記表示画面データと共に前記ガントリ装置に送信する送信手段とを備え、
前記ガントリ装置は、
前記送信手段から送信された前記患者情報、前記検査情報、前記アクセサリ情報、前記表示画面データを受信する受信手段と、
前記受信手段により受信した前記患者情報、前記検査情報、前記アクセサリ情報を、前記表示画面データに従った画面で表示する表示手段と
を備えることを特徴とするＸ線ＣＴ装置。
【請求項２】
前記特定手段は更に、前記ガントリ装置から検査情報を受信した場合、当該検査情報に応じたアクセサリ情報を前記格納手段から特定し、前記送信手段は、前記特定手段により特定したアクセサリ情報を前記ガントリ装置に送信し、
前記ガントリ装置は、
前記表示画面に表示される画面を切り替える指示を入力する切り替え指示手段と、
前記切り替え指示手段により切り替えの指示が入力された場合、前記検査情報を前記操作コンソールに送信し、前記操作コンソールから前記検査情報に応じたアクセサリ情報を受信する送受信手段とを更に備えることを特徴とする請求項１に記載のＸ線ＣＴ装置。
【請求項３】
前記表示手段は、前記送信手段から送信された患者情報と検査情報とを表示する第１の画面と、当該患者情報と前記受信手段により受信したアクセサリ情報とを表示する第２の画面のうちいずれか１つを、前記切り替え手段による切り替え指示に応じて表示することを特徴とする請求項２に記載のＸ線ＣＴ装置。
【請求項４】
前記操作コンソールは更に、検査対象の患者の患者情報と当該患者に対して行う検査の内容を示す検査情報とをＬＡＮを介して入力する入力手段を備えることを特徴とする請求項１に記載のＸ線ＣＴ装置。
【請求項５】
前記操作コンソールは更に、検査対象の患者の患者情報が記憶されたＩＣカードから当該患者情報を読みとり、入力する入力手段を備えることを特徴とする請求項１に記載のＸ線ＣＴ装置。
【請求項６】
前記患者情報は、患者の名前、年齢、性別を含むことを特徴とする請求項１乃至５のいずれか１項に記載のＸ線ＣＴ装置。
【請求項７】
前記検査情報は、検査部位、造影剤を必要とするか否か、必要とする場合には造影剤の名前を示す情報を含むことを特徴とする請求項１乃至５のいずれか１項に記載のＸ線ＣＴ装置。
【請求項８】
前記アクセサリ情報は、コロナルヘッドホルダ、ベルトを含むことを特徴とする請求項１乃至５のいずれか１項に記載のＸ線ＣＴ装置。
【請求項９】
Ｘ線管から照射され、被検体を透過したＸ線を検出し、当該被検体の投影データを得るガントリ装置であって、
外部装置から送信された患者情報、検査情報、アクセサリ情報、表示画面データを受信する受信手段と、
前記受信手段により受信した前記患者情報、前記検査情報、前記アクセサリ情報を、前記表示画面データに従った画面で表示する表示手段と
を備えることを特徴とするガントリ装置。
【請求項１０】
前記表示画面に表示される画面を切り替える指示を入力する切り替え指示手段と、
前記切り替え指示手段により切り替えの指示が入力された場合、前記検査情報を前記外部装置に送信し、前記外部装置から前記検査情報に応じたアクセサリ情報を受信する送受信手段とを更に備えることを特徴とする請求項９に記載のガントリ装置。
【請求項１１】
外部装置により得られた投影データを再構成し、被検体の断層像を得る操作コンソールであって、
患者に関する情報である患者情報と、各患者に対する検査の内容を示す検査情報と、検査内容に応じて使用するアクセサリに関するアクセサリ情報とを関連づけて格納する共に、前記患者情報、前記検査情報、前記アクセサリ情報を表示するための表示画面データを格納する格納手段と、
入力された検査対象の患者を特定する情報から当該患者の患者情報と、当該患者に対して行う検査の内容を示す検査情報と、当該検査情報に応じたアクセサリ情報を前記格納手段から特定する特定手段と、
前記特定手段により特定した患者情報、検査情報、アクセサリ情報を前記表示画面データと共に前記外部装置に送信する送信手段と
を備えることを特徴とする操作コンソール。
【請求項１２】
前記特定手段は更に、前記外部装置から検査情報を受信した場合、当該検査情報に応じたアクセサリ情報を前記格納手段から特定し、前記送信手段は、前記外部装置から検査情報を受信した場合、前記特定手段により特定したアクセサリ情報を前記外部装置に送信することを特徴とする請求項１１に記載の操作コンソール。
【請求項１３】
Ｘ線管から照射され、被検体を透過したＸ線を検出し、当該被検体の投影データを得るガントリ装置の制御方法であって、
外部装置から送信された患者情報、検査情報、アクセサリ情報、表示画面データを受信する受信工程と、
前記受信工程で受信した前記患者情報、前記検査情報、前記アクセサリ情報を、前記表示画面データに従った画面で表示する表示工程と
を備えることを特徴とするガントリ装置の制御方法。
【請求項１４】
前記表示画面に表示される画面を切り替える指示を入力する切り替え指示工程と、
前記切り替え指示工程で切り替えの指示が入力された場合、前記検査情報を前記外部装置に送信し、前記外部装置から前記検査情報に応じたアクセサリ情報を受信する送受信工程とを更に備えることを特徴とする請求項１３に記載のガントリ装置の制御方法。
【請求項１５】
外部装置により得られた投影データを再構成し、被検体の断層像を得る操作コンソールの制御方法であって、
患者に関する情報である患者情報と、各患者に対する検査の内容を示す検査情報と、検査内容に応じて使用するアクセサリに関するアクセサリ情報とを関連づけて格納する共に、前記患者情報、前記検査情報、前記アクセサリ情報を表示するための表示画面データをメモリに格納しておき、
入力された検査対象の患者を特定する情報から当該患者の患者情報と、当該患者に対して行う検査の内容を示す検査情報と、当該検査情報に応じたアクセサリ情報を前記メモリから特定する特定工程と、
前記特定工程で特定した患者情報、検査情報、アクセサリ情報を前記表示画面データと共に前記外部装置に送信する送信工程と
を備えることを特徴とする操作コンソールの制御方法。
【請求項１６】
前記特定工程では更に、前記外部装置から検査情報を受信した場合、当該検査情報に応じたアクセサリ情報を前記メモリから特定し、前記送信工程では、前記特定工程で特定したアクセサリ情報を前記外部装置に送信することを特徴とする請求項１５に記載の操作コンソールの制御方法。
【請求項１７】
コンピュータを請求項１１または１２に記載の操作コンソールとして機能させるプログラム。
【請求項１８】
コンピュータに請求項１５または１６に記載の操作コンソールの制御方法を実行させるためのプログラム。
【請求項１９】
請求項１７または１８に記載のプログラムを格納する記憶媒体。
【発明の詳細な説明】
【０００１】
【発明の属する技術分野】
本発明は、Ｘ線ＣＴ装置、ガントリ装置、操作コンソール、及びその制御方法に関するものである。
【０００２】
【従来の技術】
ＣＴの検査を行う際に、患者情報（患者の名前や年齢など）、検査情報（検査内容に関する情報）は通常、院内のカルテや検査オーダー表、ＣＴ操作卓ディスプレー（操作コンソールに接続された表示装置）などに記載、表示される。院内のカルテや検査オーダー表、ＣＴ操作卓ディスプレーはＣＴ操作室（操作コンソールが設置されている部屋）にある。
【０００３】
【発明が解決しようとする課題】
ガントリ装置を用いてＣＴの検査を行う操作者は、患者の名前などの確認を行ったり、検査の内容をチェックする必要があるので、必要な情報がある場合には操作者は検査室からＣＴ操作室にその都度行く必要があり、ＣＴの検査を始めるまでに時間がかかると共に、操作者にも体力的に負担をかけていた。
【０００４】
本発明はかかる問題点に鑑みてなされたものであり、ガントリ装置が設置された部屋にいる技師に対して患者情報、検査情報を提供することを目的とする。
【０００５】
【課題を解決するための手段】
本発明の目的を達成するために、例えば本発明のＸ線ＣＴ装置は以下の構成を備える。
【０００６】
すなわち、Ｘ線管から照射され、被検体を透過したＸ線を検出し、当該被検体の投影データを得るガントリ装置と、当該ガントリ装置により得られた投影データを再構成し、前記被検体の断層像を得る操作コンソールとで構成されるＸ線ＣＴ装置であって、
前記操作コンソールは、
患者に関する情報である患者情報と、各患者に対する検査の内容を示す検査情報と、検査内容に応じて使用するアクセサリに関するアクセサリ情報とを関連づけて格納する共に、前記患者情報、前記検査情報、前記アクセサリ情報を表示するための表示画面データを格納する格納手段と、
入力された検査対象の患者を特定する情報から当該患者の患者情報と、当該患者に対して行う検査の内容を示す検査情報と、当該検査情報に応じたアクセサリ情報を前記格納手段から特定する特定手段と、
前記特定手段により特定した患者情報、検査情報、アクセサリ情報を前記表示画面データと共に前記ガントリ装置に送信する送信手段とを備え、
前記ガントリ装置は、
前記送信手段から送信された前記患者情報、前記検査情報、前記アクセサリ情報、前記表示画面データを受信する受信手段と、
前記受信手段により受信した前記患者情報、前記検査情報、前記アクセサリ情報を、前記表示画面データに従った画面で表示する表示手段と
を備えることを特徴とする。
【０００７】
前記特定手段は更に、前記ガントリ装置から検査情報を受信した場合、当該検査情報に応じたアクセサリ情報を前記格納手段から特定し、前記送信手段は、前記特定手段により特定したアクセサリ情報を前記ガントリ装置に送信し、
前記ガントリ装置は、
前記表示画面に表示される画面を切り替える指示を入力する切り替え指示手段と、
前記切り替え指示手段により切り替えの指示が入力された場合、前記検査情報を前記操作コンソールに送信し、前記操作コンソールから前記検査情報に応じたアクセサリ情報を受信する送受信手段とを更に備えることを特徴とする。
【０００８】
本発明の目的を達成するために、例えば本発明のガントリ装置は以下の構成を備える。
【０００９】
すなわち、Ｘ線管から照射され、被検体を透過したＸ線を検出し、当該被検体の投影データを得るガントリ装置であって、
外部装置から送信された患者情報、検査情報、アクセサリ情報、表示画面データを受信する受信手段と、
前記受信手段により受信した前記患者情報、前記検査情報、前記アクセサリ情報を、前記表示画面データに従った画面で表示する表示手段と
を備えることを特徴とする。
【００１０】
前記表示画面に表示される画面を切り替える指示を入力する切り替え指示手段と、
前記切り替え指示手段により切り替えの指示が入力された場合、前記検査情報を前記外部装置に送信し、前記外部装置から前記検査情報に応じたアクセサリ情報を受信する送受信手段とを更に備えることを特徴とする。
【００１１】
本発明の目的を達成するために、例えば本発明の操作コンソールは以下の構成を備える。
【００１２】
すなわち、外部装置により得られた投影データを再構成し、被検体の断層像を得る操作コンソールであって、
患者に関する情報である患者情報と、各患者に対する検査の内容を示す検査情報と、検査内容に応じて使用するアクセサリに関するアクセサリ情報とを関連づけて格納する共に、前記患者情報、前記検査情報、前記アクセサリ情報を表示するための表示画面データを格納する格納手段と、
入力された検査対象の患者を特定する情報から当該患者の患者情報と、当該患者に対して行う検査の内容を示す検査情報と、当該検査情報に応じたアクセサリ情報を前記格納手段から特定する特定手段と、
前記特定手段により特定した患者情報、検査情報、アクセサリ情報を前記表示画面データと共に前記外部装置に送信する送信手段と
を備えることを特徴とする。
【００１３】
前記特定手段は更に、前記外部装置から検査情報を受信した場合、当該検査情報に応じたアクセサリ情報を前記格納手段から特定し、前記送信手段は、前記外部装置から検査情報を受信した場合、前記特定手段により特定したアクセサリ情報を前記外部装置に送信することを特徴とする。
【００１４】
【発明の実施の形態】
以下添付した図面を参照して、本発明を好適な実施形態に従って、詳細に説明する。
【００１５】
［第１の実施形態］
図１は、本実施形態におけるＸ線ＣＴ装置の基本構成を示すブロック図である。図示のように本装置は、被検体へのＸ線照射と被検体を透過したＸ線を検出するためのＸ線検出機構を一体的に取り付けるガントリ装置１００と、ガントリ装置１００に対して各種動作設定を行うとともに、ガントリ装置１００から出力されたデータに基づいてＸ線断層像を再構成し、表示する操作コンソール２００により構成されている。
【００１６】
ガントリ装置１００は、その全体の制御をつかさどるメインコントローラ１をはじめ、以下の構成を備える。
【００１７】
２は操作コンソール２００との通信を行うためのインタフェース、３はテーブル１２上に横たえた被検体（患者）を搬送（図面に垂直な方向で以下、ｚ軸ともいう）するための空洞部を有するガントリであり、内部には、Ｘ線発生源であるＸ線管４（Ｘ線管コントローラ５により駆動制御される）、Ｘ線の照射範囲を画定するためのスリットを有するコリメータ６、コリメータ６のＸ線照射範囲を画定するスリット幅の調整用モータであるモータ７ａが設けられている。このモータ７ａの駆動はコリメータコントローラ７により制御される。又、ガントリ３を傾斜（チルト）させるチルト用モータ１７がガントリ装置１００には設けられており、更に同装置内にこのチルト用モータ１７を制御するチルト用モータコントローラ１８が設けられている。その結果、ガントリ装置１００はガントリ３を傾斜（チルト）させる構造を有する。
【００１８】
また、ガントリ３は、被検体を透過したＸ線を検出するＸ線検出部８、およびＸ線検出部８で得た透過Ｘ線より得られる投影データを収集するデータ収集部９も備える。Ｘ線管４及びコリメータ６と、Ｘ線検出部８は互いに空洞部分を挟んで、すなわち、被検体を挟んで対向する位置に設けられ、その関係が維持された状態でガントリ３のまわりを回動するようになっている。この回動は、モータコントローラ１１からの駆動信号により駆動される回転モータ１０によって行われる。また、被検体を乗せるテーブル１２は、ｚ軸方向への搬送がなされるが、その駆動はテーブルモータ１３によって行われる。また、テーブル１２の高さも変更できるが、その駆動はテーブルモータ１３によって行われる。
【００１９】
またガントリ装置１００には操作コンソール２００から送信されてきた各種のデータに基づいた後述の表示画面を表示する表示部１５と、この表示部１５に表示される表示画面の切り替え操作を行うための操作スイッチ１６ａを備えると共に、ガントリ３の角度（チルト）、テーブル１２の位置、高さなどの制御を行う操作スイッチ１６ｂを備える。なお夫々の操作を行うための操作スイッチの配置はこれに限定されるものではない。
【００２０】
メインコントローラ１は、インタフェース２を介して受信した各種コマンドの解析を行い、それに基づいて上記のＸ線管コントローラ５、コリメータコントローラ７、モータコントローラ１１、テーブルモータコントローラ１４、チルト用モータコントローラ１８、そして、データ収集部９に対し、各種制御信号を出力することになる。また、メインコントローラ１は、データ収集部９で収集された投影データを、インタフェース２を介して操作コンソール２００に送出する処理も行う。また、メインコントローラ１は操作スイッチ１６ａ、１６ｂからの指示信号をＩ／Ｆ２を介して操作コンソール２００に送出すると共に、指示信号に従った各種のデータをＩ／Ｆ２を介して操作コンソール２００から受信する処理も行う。
【００２１】
操作コンソール２００は、いわゆるワークステーションであり、図示するように、装置全体の制御をつかさどるＣＰＵ５１、ブートプログラムを記憶しているＲＯＭ５２、主記憶装置として機能するＲＡＭ５３をはじめ、以下の構成を備える。
【００２２】
ＨＤＤ５４は、ハードディスク装置であって、ここにＯＳの他、ガントリ装置１００に各種指示を与えたり、ガントリ装置１００より受信したデータに基づいてＸ線断層像を再構成するためのプログラムが格納されていると共に、後述の患者情報５４ａ、検査情報５４ｂ、表示画面のデータ５４ｃ、アクセサリ情報５４ｄが格納されている。ＶＲＡＭ５５は表示しようとするイメージデータを展開するメモリであり、ここにイメージデータ等を展開することでＣＲＴ５６に表示させることができる。５７及び５８は、各種設定を行うためのキーボードおよびマウスである。また、５９はガントリ装置１００と通信を行うためのインタフェースである。
【００２３】
図２に、上記ガントリ装置１００が設置されている検査室と、上記操作コンソール２００が設置されているＣＴ操作室との構成例を示す。上述の通り、検査室にはガントリ装置１００を設置しており、テーブル１２上に乗せた患者に対して検査を行うための部屋である。一方、ＣＴ操作室には上述の通り操作コンソール２００が設定されていると共に、院内のカルテ２０１や検査オーダー表２０２が置かれている。院内のカルテ２０１や検査オーダー表２０２は、操作コンソール２００を操作する技師が患者情報５４ａ（患者の名前、年齢、性別等の情報）や検査情報５４ｂ（検査部位、造影剤を注入するか否か、注入するならばどの造影剤か等の情報）を入力するために、ＣＴ操作室に置かれている。
【００２４】
また、患者情報５４ａ、検査情報５４ｂは夫々、どの患者に対してどのような検査を行うかがわかるように関連づけられてＨＤＤ５４に保存されている。また、アクセサリ情報５４ｄは、行う検査に応じて用いるアクセサリ（テーブル１２に取り付けるための道具で、例えばコロナルヘッドホルダ、ベルトなどを含む）に関する情報を含み、検査情報５４ｂとアクセサリ情報５４ｄは夫々、検査を行うに際し、用いるべきアクセサリがわかるように関連づけられてＨＤＤ５４に保存されている。つまり、上記患者情報５４ａ、検査情報５４ｂ、そしてアクセサリ情報５４ｄは、各患者に対して行う検査内容と用いるべきアクセサリがわかるように、夫々関連づけられてＨＤＤ５４に保存されている。
【００２５】
ＣＴ操作室において、操作コンソール２００を操作する検査技師が検査室に呼ばれる患者の名前（患者を特定するＩＤでも良い）をキーボード５７やマウス５８を用いて操作コンソール２００に入力すると、ＣＰＵ５１は入力した名前で特定される患者の患者情報、検査情報を上記患者情報５４ａ、検査情報５４ｂから検索し、検索結果（入力した名前で特定される患者の患者情報、検査情報）をＲＡＭ５３にロードする。そしてＣＲＴ５６にロードされた情報が表示される。この表示形態は特に限定しない。
【００２６】
そしてＲＡＭ５３にロードされた患者情報と検査情報はＨＤＤ５４に保存されている表示画面データ５４ｃと共に、Ｉ／Ｆ５９，Ｉ／Ｆ２を介してガントリ装置１００のメインコントローラ１に送信される。メインコントローラ１は受信した表示画面データ５４ｃを用いて受信した患者情報、検査情報を表示部１５に表示する。図３にこの表示例を示す。
【００２７】
３０１，３０２，３０３はいずれも受信した患者情報に含まれる情報を表示する領域で、３０１には患者の名前、３０２には患者の年齢、３０３は患者の性別が表示される。３０４，３０５はいずれも受信した検査情報に含まれる情報を表示する領域で、３０４には検査する部位（スキャン対象の部位を特定するものであって、例えば頭部、胸部、腹部を区別するための情報）、３０５には造影剤を使用するか否か、使用する場合には使用する造影剤の名前が表示される。３０６，３０７，３０８はメインコントローラ１が保持している情報を表示する領域で、３０６にはテーブル１２の位置（基準位置からどの程度動かしたかを示す数値）、３０７にはテーブル１２の高さ、３０８にはガントリ３の角度が表示される。なお、領域３０４，３０５には特定する文字列を表示しても良いし、直感で分かるマークやシンボル等を表示しても良い。
【００２８】
テーブル１２の位置、高さ、そしてガントリ３の角度は操作スイッチ１６ｂを用いて変更することができ、操作スイッチ１６ｂにより指定したテーブル１２の位置、高さ、そしてガントリ３の角度を示す信号は操作スイッチ１６ｂからメインコントローラ１に送信される。メインコントローラ１はこの信号に基づいてテーブルモータコントローラ１４、チルト用モータコントローラ１８を制御することで、テーブル１２の位置、高さ、ガントリ３の角度を操作スイッチ１６ｂにより指定されたものにすることができる。その際、メインコントローラ１は操作スイッチ１６ｂから指示されたテーブル１２の位置、高さ、ガントリ３の角度を保持しているので、この保持している情報が夫々領域３０６，３０７，３０８に表示されることになる。
【００２９】
よって、検査室にいる技師はＣＴ操作室に移動することなく、検査室にいながら（検査の準備などを行いながら）同図に示した表示画面を見ることで、これから検査しようとする患者、及び検査部位や、造影剤を使用するか否か、使用する場合にはその名前を確認することができる。なお図３に示した画面は一例であって、表示する各情報をアイコンなどを用いてよりグラフィカルに表現しても良い。
【００３０】
また、検査室にいる技師が他の情報を見たい場合には、表示部１５に表示する表示画面を切り替えることもできる。図４に切り替え後の画面の表示例を示す。図３と同じ部分については同じ番号を付けており、説明を省略する。４０１は領域３０４，３０５に表示された検査内容に応じて必要となるアクセサリ情報が表示される領域である。同図では領域３０４，３０５に表示された検査内容に応じて必要となるアクセサリとしてコロナルヘッドホルダとベルトが表示されている。よって例えば、その患者がコロナルヘッドホルダーを必要とする場合に、ガントリの表示部に「コロナルヘッドホルダー」を用いることを明示することで、操作者（技師もしくは医師）に注意を喚起させることができる。
【００３１】
なお、表示部１５に表示される画面の切り替えは操作スイッチ１６ａを操作することで行われる。
【００３２】
すなわち、操作スイッチ１６ａから入力された画面の切り替え指示はメインコントローラ１に送信され、メインコントローラ１は領域３０４，３０５に表示されている検査情報を示す信号をＩ／Ｆ２、Ｉ／Ｆ５９を介して操作コンソール２００のＣＰＵ５１に送信する。ＣＰＵ５１は受信した信号、すなわち現在行われている検査内容に必要となるアクセサリ情報をＨＤＤ５４に保存されているアクセサリ情報５４ｄから検索し、検索結果（必要なアクセサリの情報）をＩ／Ｆ５９、Ｉ／Ｆ２を介してガントリ装置１００のメインコントローラ１に送信する。メインコントローラ１は表示部１５に指示し、表示部１５は受信したアクセサリ情報を領域４０１に表示する。
【００３３】
なお、この切り替えは必要に応じて操作コンソール２００からも行うことができる。また、図４に示した画面は一例であって、表示する各情報アイコンなどを用いてよりグラフィカルに表現しても良い。
【００３４】
図６にガントリ装置１００の外観斜視図を示す。図１と同じ部分については同じ番号を付けている。６０１，６０２は夫々操作スイッチ１６ａに含まれるボタンで、図３と図４に示した画面を切り替えを行うために使用される。例えば６０２を押すことで図３の画面に切り替わり、６０１のボタンを押すことで図４の画面に切り替わる。なお、画面の切り替えを行うための操作部はこれに限定されるものではない。
【００３５】
図５に本実施形態における操作コンソール２００とガントリ装置１００とが行う処理のフローチャートを示す。まず操作コンソール２００の操作者（技師）がキーボード５７やマウス５８を用いて入力した患者の名前（患者を示すＩＤでもよい）をＲＡＭ５３に記憶する（ステップＳ５００）。次に、ＣＰＵ５１はＲＡＭ５３に記憶されている名前で特定される患者の患者情報、検査情報を患者情報５４ａ、検査情報５４ｂから検索し、検索結果（入力した名前で特定される患者の患者情報、検査情報）をＲＡＭ５３にロードする（ステップＳ５０１，Ｓ５０２）。そしてＣＲＴ５６にロードされた情報を表示する（ステップＳ５０３）。そしてロードされた情報である患者情報、検査情報を表示画面データ５４ｃと共に、ガントリ装置１００のメインコントローラ１に送信する（ステップＳ５０４）。
【００３６】
ガントリ装置１００のメインコントローラ１はこれを受け（ステップＳ５１１）、表示画面データ５４ｃを用いて図３に例示した表示画面を表示部１５に表示させる（ステップＳ５１２）。そして操作スイッチ１６ａから切り替えの指示がメインコントローラ１に入力されると（ステップＳ５１３）、メインコントローラ１は検査情報を操作コンソール２００のＣＰＵ５１に送信する（ステップＳ５１４）。
【００３７】
操作コンソール２００は検査情報を受信すると（ステップＳ５０５）、受信した検査情報に関連づけられたアクセサリ情報をＨＤＤ５４に保存されているアクセサリ情報５４ｄから特定する（ステップＳ５０６）。そして特定したアクセサリ情報をガントリ装置１００のメインコントローラ１に送信する（ステップＳ５０７）。
【００３８】
ガントリ装置１００のメインコントローラ１はこのアクセサリ情報を受信し（ステップＳ５１５）、表示部１５に指示してこのアクセサリ情報を領域４０１に表示させる（ステップＳ５１６）。
【００３９】
また以下に示す処理方法を用いても、本実施形態の目的を達成できる。すなわち、予め操作コンソールのＲＡＭ５３に、これから検査を行う全ての患者の患者情報、検査情報そしてアクセサリ情報を患者毎にロードしておく。そして現在患者Ａの患者情報、検査情報を図３に例示する如く表示部１５の画面に表示している状態で、操作スイッチ１６ａから例えば患者Ｂの患者情報、検査情報を図３に示す如く表示する画面、また例えば患者Ｃの患者情報、アクセサリ情報を図４に示す如く表示する画面等、他の画面に切り替える指示がメインコントローラ１に入力されると、メインコントローラ１は、変更する画面のモードを示す情報を操作コンソール２００に送信する。操作コンソール２００はこの情報を受信すると、指定された画面に必要な情報（図３に示す画面であれば、患者情報と検査情報、図４に示す情報であれば、患者情報とアクセサリ情報）をガントリ装置１００に送信し、ガントリ装置１００は受信した情報を表示部１５に表示する。
【００４０】
この処理方法において、現在患者情報と検査情報とが表示されており、上記切り替え指示によって患者情報とアクセサリ情報とを表示部１５に表示する場合に、この処理のフローチャートは図５において、上記ステップＳ５１４で、表示画面のモードを示す情報をガントリ装置１００から操作コンソール２００に送信すると変更したものである。
【００４１】
［第２の実施形態］
表示部１５に表示する情報は第１の実施形態で説明したもの以外の情報を表示しても良い。この情報として例えば、患者の乗せ変え要員情報、検査に伴う各機器の操作手順情報、現在の時間、患者被爆情報、次に検査の指示などがある。この情報によっては予め操作コンソール２００で計算しておくものもあり、上記患者情報、検査情報と共にガントリ装置１００のメインコントローラ１に送信する。送信後のガントリ装置１００、操作コンソール２００における処理については第１の実施形態と基本的には同じである。
【００４２】
また、表示部１５の画面サイズが充分に大きい場合には上記切り替えを行う必要はなく、よって図３と図４に示した情報を一つの画面に表示しても良い。
【００４３】
［第３の実施形態］
ガントリ装置１００に対して患者情報、検査情報を送信する手段として、上記実施形態では操作コンソール２００を用いていたが、これに限定されるものではない。すなわち、ガントリ装置１００を病院内のＬＡＮに接続し、他の機器から入力しても良い。
【００４４】
また上記実施形態では患者情報をキーボード５７やマウス５８を用いて入力していたが、これに限定されるものではない。すなわち、患者情報をＩＣカードに記憶しておき、操作コンソール２００にカードリーダを接続し、このカードリーダによりＩＣカードに記憶された患者情報を読み込んでも良い。またこのカードリーダをガントリ装置１００に設けても良い。
【００４５】
また、本発明の目的は、上述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても実現できるものである。この場合、記憶媒体から読み出されたプログラムコード自体が前述した実施形態の機能を実現することになり、そのプログラムコードを記憶した記憶媒体は本発明を構成することになる。また、コンピュータ（操作コンソール）が読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれる。
【００４６】
本発明を上記記憶媒体に適用する場合、その記憶媒体には、先に説明した（図５に示すフローチャートの一部、もしくは全部）に対応するプログラムコードが格納されることになる。
【００４７】
このようなプログラムコードを格納する記憶媒体としては、例えばフロッピー（登録商標）ディスク、ハードディスク、光ディスク、光磁気ディスク、ＣＤ−ＲＯＭ、磁気テープ、不揮発性のメモリカード、ＲＯＭ等を用いることができる。更には、ネットワーク（例えばインターネット）という媒体を介してダウンロードしても良いであろう。
【００４８】
【発明の効果】
以上の説明により、本発明によって、ガントリ装置が設置された部屋にいる技師に対して患者情報、検査情報を提供することができる。
【図面の簡単な説明】
【図１】本発明の第１の実施形態におけるＸ線ＣＴ装置の基本構成を示すブロック図である。
【図２】ガントリ装置１００が設置されている検査室と、操作コンソール２００が設置されているＣＴ操作室との構成例を示す図である。
【図３】表示部１５に表示される患者情報、検査情報の表示例を示す図である。
【図４】切り替え後の画面の表示例を示す図である。
【図５】本発明の第１の実施形態における操作コンソール２００とガントリ装置１００とが行う処理のフローチャートである。
【図６】ガントリ装置１００の外観斜視図である。
【図１】
2004016498.tif 000003
【図２】
2004016498.tif 000004
【図３】
2004016498.tif 000005
【図４】
2004016498.tif 000006
【図５】
2004016498.tif 000007
【図６】
2004016498.tif 000008